(57)【特許請求の範囲】
【請求項１】
雨水を貯留して地盤に浸透させる貯留浸透ユニットどうしを接続する貯留浸透ユニットの接続構造であって、
一方の貯留浸透ユニットの敷設方向と他方の貯留浸透ユニットの敷設方向とが、９０度より緩やかな角度となるように接続されることを特徴とする貯留浸透ユニットの接続構造。
【請求項２】
前記一方の貯留浸透ユニットの下部に挿入される集砂受枠には、直管が連結されるとともに、
前記他方の貯留浸透ユニットの下部に挿入される集砂受枠には、接続角度を自在に変えることができる自在管が連結されて、
前記直管と前記自在管とが上下左右に回動自在に接続されることを特徴とする請求項１に記載の貯留浸透ユニットの接続構造。
【請求項３】
前記一方の貯留浸透ユニットの下部に挿入される集砂受枠、及び、前記他方の貯留浸透ユニットの下部に挿入される集砂受枠には、接続角度を自在に変えることができる自在管が連結されて、
前記一方の自在管には、直管が上下左右に回動自在に接続されるとともに、
該直管は、前記他方の自在管に上下左右に回動自在に接続されることを特徴とする請求項１に記載の貯留浸透ユニットの接続構造。
【請求項４】
前記直管として、可撓性を有するフレキシブル管を用いることを特徴とする請求項２又は請求項３に記載の貯留浸透ユニットの接続構造。
【請求項５】
前記一方の貯留浸透ユニットの下部に挿入される集砂受枠、及び、前記他方の貯留浸透ユニットの下部に挿入される集砂受枠は、それぞれの貯留浸透ユニットから突出して形成されるとともに、
角度を開いて形成された２つの嵌合孔を有する継手部材を備え、
該継手部材の前記一方の嵌合孔には前記一方の集砂受枠の端部が嵌合され、前記他方の嵌合孔には前記他方の集砂受枠の端部が嵌合されることを特徴とする請求項１に記載の貯留浸透ユニットの接続構造。
【請求項６】
前記一方の貯留浸透ユニットの下部に挿入される集砂受枠、及び、前記他方の貯留浸透ユニットの下部に挿入される集砂受枠には、直管が連結されるとともに、
角度を開いて形成された２つの嵌合孔を有する継手部材を備え、
該継手部材の前記一方の嵌合孔には前記一方の直管の端部が嵌合され、前記他方の嵌合孔には前記他方の直管の端部が嵌合されることを特徴とする請求項１に記載の貯留浸透ユニットの接続構造。
【請求項７】
前記一方の貯留浸透ユニットと前記他方の貯留浸透ユニットとの間隙には、前記一方の貯留浸透ユニットと前記他方の貯留浸透ユニットとを連通する空隙を有するとともに上載荷重を支持する充填材が設けられることを特徴とする請求項１に記載の貯留浸透ユニットの接続構造。
【請求項８】
前記充填材として、砕石が充填されることを特徴とする請求項７に記載の貯留浸透ユニットの接続構造。
【請求項９】
前記充填材として、前記一方の貯留浸透ユニットと前記他方の貯留浸透ユニットとを連通する貫通孔を有する接続用充填部材が設置されることを特徴とする請求項７に記載の貯留浸透ユニットの接続構造。
【請求項１０】
前記一方の貯留浸透ユニットと前記他方の貯留浸透ユニットとの間隙は、該間隙の上方を閉塞する上面部材と、該間隙の側方を閉塞する側面部材と、によって囲まれることを特徴とする請求項１に記載の貯留浸透ユニットの接続構造。
【請求項１１】
前記貯留浸透ユニットは、複数の充填部材が敷設されて形成されるとともに、
前記側面部材は、前記充填部材の側面を覆う側板が延長されて形成されることを特徴とする請求項１０に記載の貯留浸透ユニットの接続構造。
【請求項１２】
前記貯留浸透ユニットは、複数の充填部材が敷設されて形成されるとともに、
前記側面部材は、前記充填部材の側面及び前記充填部材を連結する連結部材の側面が延長されて形成されることを特徴とする請求項１０に記載の貯留浸透ユニットの接続構造。
【発明の詳細な説明】
【技術分野】
【０００１】
本発明は、雨水を貯留して地盤に浸透させる貯留浸透ユニットどうしを接続する貯留浸透ユニットの接続構造に関するものである。
【背景技術】
【０００２】
近年、都市化が急激に進んだことで、舗装の面積が増加したため、雨水が地中に浸み込まずに、一気に河川に流れ込むようになっている。
【０００３】
このため、都市型の洪水が起こる反面、普段は河川の流量が少なく、水質が悪化し、地下水が枯れるなどの問題が生じている。
【０００４】
また、地下水の低下によって渇水の危険性が高まり、緑地や街路樹などの潤いが失われ、気温の上昇や地中の乾燥化などが生じて、都市の気候変化をもたらすことも明らかになってきている。
【０００５】
このような問題を解決するために、雨水を貯留させる技術や雨水を地中に浸透させる技術が開発されている。
【０００６】
例えば、特許文献１には、充填部材が連結脚部材を介して重ね合わされるとともに、この連結脚部材の側面部には側板部材を係合する側板装着部が設けられる雨水流出抑制装置が開示されている。したがって、対土圧性能が良好になるうえ、積層させて保存する際には保存スペースを増大させることなく、施工性が良好になる。
【０００７】
また、特許文献２には、道路の側道の延設方向に沿って排水路が設けられ、この排水路の内部に複数の充填部材が連設されることで、雨水を一時的に貯留させることができるうえに、メンテナンス性の良好な雨水流出抑制排水路構造が開示されている。
【特許文献１】特開２００６−２４１７０１号公報
【特許文献２】特開２００７−１６５８２号公報
【発明の開示】
【発明が解決しようとする課題】
【０００８】
しかしながら、上記した特許文献１，２の構成は、排水路や充填部材が直線的に敷設される場合を前提としていた。そして、道路が直角に曲がっている場合には対応できたが、道路の曲線に沿って側道も緩やかに曲がっている場合には対応していなかった。
【０００９】
このため、道路が緩やかに曲がっている場合、その部分には雨水流出抑制装置を設置することはできなかった。
【００１０】
そこで、本発明は、緩やかな曲がりにも対応できる貯留浸透ユニットの接続構造を提供することを目的としている。
【課題を解決するための手段】
【００１１】
このような問題を解決するために、本発明の貯留浸透ユニットの接続構造は、
雨水を貯留して地盤に浸透させる貯留浸透ユニットどうしを接続する貯留浸透ユニットの接続構造であって、一方の貯留浸透ユニットの敷設方向と他方の貯留浸透ユニットの敷設方向とが、９０度より緩やかな角度となるように接続されることを特徴とする。
【００１２】
また、前記一方の貯留浸透ユニットの下部に挿入される集砂受枠には、直管が連結されるとともに、前記他方の貯留浸透ユニットの下部に挿入される集砂受枠には、接続角度を自在に変えることができる自在管が連結されて、前記直管と前記自在管とが上下左右に回動自在に接続される構成とすることができる。
【００１３】
さらに、前記一方の貯留浸透ユニットの下部に挿入される集砂受枠、及び、前記他方の貯留浸透ユニットの下部に挿入される集砂受枠には、接続角度を自在に変えることができる自在管が連結されて、前記一方の自在管には、直管が上下左右に回動自在に接続されるとともに、該直管は、前記他方の自在管に上下左右に回動自在に接続される構成とすることができる。
【００１４】
そして、前記直管として、可撓性を有するフレキシブル管を用いることが好ましい。
【００１５】
また、前記一方の貯留浸透ユニットの下部に挿入される集砂受枠、及び、前記他方の貯留浸透ユニットの下部に挿入される集砂受枠は、それぞれの貯留浸透ユニットから突出して形成されるとともに、角度を開いて形成された２つの嵌合孔を有する継手部材を備え、該継手部材の前記一方の嵌合孔には前記一方の集砂受枠の端部が嵌合され、前記他方の嵌合孔には前記他方の集砂受枠の端部が嵌合される構成とすることができる。
【００１６】
さらに、前記一方の貯留浸透ユニットの下部に挿入される集砂受枠、及び、前記他方の貯留浸透ユニットの下部に挿入される集砂受枠には、直管が連結されるとともに、角度を開いて形成された２つの嵌合孔を有する継手部材を備え、該継手部材の前記一方の嵌合孔には前記一方の直管の端部が嵌合され、前記他方の嵌合孔には前記他方の直管の端部が嵌合される構成とすることができる。
【００１７】
そして、前記一方の貯留浸透ユニットと前記他方の貯留浸透ユニットとの間隙には、前記一方の貯留浸透ユニットと前記他方の貯留浸透ユニットとを連通する空隙を有するとともに上載荷重を支持する充填材が設けられる構成とすることができる。
【００１８】
また、前記充填材として、砕石を充填することができる。
【００１９】
さらに、前記充填材として、前記一方の貯留浸透ユニットと前記他方の貯留浸透ユニットとを連通する貫通孔を有する接続用充填部材を設置することができる。
【００２０】
そして、前記一方の貯留浸透ユニットと前記他方の貯留浸透ユニットとの間隙は、該間隙の上方を閉塞する上面部材と、該間隙の側方を閉塞する側面部材と、によって囲まれる構成とすることができる。
【００２１】
また、前記貯留浸透ユニットは、複数の充填部材が敷設されて形成されるとともに、前記側面部材は、前記充填部材の側面を覆う側板が延長して形成される構成とすることができる。
【００２２】
さらに、前記貯留浸透ユニットは、複数の充填部材が敷設されて形成されるとともに、前記側面部材は、前記充填部材の側面及び前記充填部材を連結する連結部材の側面が延長されて形成される構成とすることができる。
【発明の効果】
【００２３】
このように、本発明の貯留浸透ユニットの接続構造は、一方の貯留浸透ユニットの敷設方向と他方の貯留浸透ユニットの敷設方向とが、９０度より緩やかな角度に接続されることを特徴とする。
【００２４】
したがって、貯留浸透ユニットどうしを９０度より緩やかな角度となるように接続できるため、道路が緩やかに曲がっている場合にも貯留浸透システムを設置することができる。
【００２５】
また、一方の貯留浸透ユニットの集砂受枠には直管が連結されるとともに、他方の貯留浸透ユニットの集砂受枠には自在管が連結されて、直管と自在管とが上下左右に回動自在に接続されることで、道路が緩やかに曲がっている場合にも集砂受枠どうしを接続して雨水や砂などを流通させることができる。
【００２６】
さらに、両方の集砂受枠には自在管が連結されて、一方の自在管には直管が上下左右に回動自在に接続されるとともに、この直管が他方の自在管に上下左右に回動自在に接続されるため、それぞれの貯留浸透ユニットの中心線がずれた場合でも貯留浸透ユニットを接続することができる。
【００２７】
そして、上記した直管として、可撓性を有するフレキシブル管を用いることで、集砂受枠どうしの接続の自由度がより大きくなるうえに、耐震性を備えることができる。
【００２８】
また、両方の貯留浸透ユニットの集砂受枠は貯留浸透ユニットから突出して形成されるとともに、角度を開いて形成された２つの嵌合孔を有する継手部材を備え、この継手部材の一方の嵌合孔には一方の集砂受枠の端部が嵌合され、他方の嵌合孔には他方の集砂受枠の端部が嵌合される。
【００２９】
したがって、きわめて簡易な構成によって集砂受枠どうしを直接的に接続して雨水や砂などを誘導することができる。
【００３０】
さらに、両方の貯留浸透ユニットの集砂受枠には直管が連結されるとともに、角度を開いて形成された２つの嵌合孔を有する継手部材を備え、この継手部材の一方の嵌合孔には一方の直管の端部が嵌合され、他方の嵌合孔には他方の直管の端部が嵌合される。
【００３１】
したがって、簡易な構成によって集砂受枠どうしを間接的に接続して雨水や砂などを誘導することができる。
【００３２】
そして、一方の貯留浸透ユニットと他方の貯留浸透ユニットとの間隙には、前記一方の貯留浸透ユニットと前記他方の貯留浸透ユニットとを連通する空隙を有するとともに上載荷重を支持する充填材が設けられるため、この空隙を通じて隣り合う貯留浸透ユニット間に雨水を伝達できるうえに、上載荷重を支持することができる。
【００３３】
また、上記した充填材として、砕石を充填することで、きわめて簡易な構成となるうえに、隣接する貯留浸透ユニットを接続する角度を自由に設定することができる。
【００３４】
さらに、上記した充填材として、前記一方の貯留浸透ユニットと前記他方の貯留浸透ユニットとを連通する貫通孔を有する接続用充填部材を設置することで、集砂受枠だけではなく、充填部材どうしも接続することができる。
【００３５】
そして、一方の貯留浸透ユニットと他方の貯留浸透ユニットとの間隙は、この間隙の上方を閉塞する上面部材と、この間隙の側方を閉塞する側面部材と、によって囲まれることで、周囲を土留めしつつ、全体の貯留容量を大きくすることができる。
【００３６】
また、側面部材は、貯留浸透ユニットの充填部材の側面を覆う側板を延長して形成することで、特別に固定手段を設けることなく、簡易な構造によって周囲を土留めし、全体の貯留容量を大きくすることができる。
【００３７】
さらに、側面部材は、貯留浸透ユニットの充填部材の側面及び連結部材の側面を延長して形成することで、特別に固定手段を設ける必要がなくなるうえに、隣接する貯留浸透ユニットの接続角度を自由に設定できる。
【発明を実施するための最良の形態】
【００３８】
以下、本発明の最良の実施の形態について図面を参照して説明する。
【００３９】
まず、図２を用いて本発明の貯留浸透ユニットの接続構造Ｃを備える貯留浸透システムＳの全体構成を説明する。
【００４０】
本実施の形態の貯留浸透システムＳは、図２に示すように、道路９１の脇に設けられた側道９２に接続される点検マス１５，１５と、貯留浸透ユニット１，１Ａ，１Ｂと、貯留浸透ユニットの接続構造Ｃ，Ｃと、を備えている。なお、図２においては、説明の便宜のために、貯留浸透システムＳの上方に設置されている側道９２の構成を除いて表示している。
【００４１】
ここにおいて、図２に示すように、一方の貯留浸透ユニット１の敷設方向Ｄａと他方の貯留浸透ユニット１Ａの敷設方向Ｄｂとは、道路９１のカーブの内側に向いた側の角度が９０度よりも緩やかな接続角度θをなして交わっている。
【００４２】
また、点検マス１５は、樹脂などによって円筒状に形成されるもので、上部には側道９２に接続される流入口（不図示）が設けられるとともに、側面には貯留浸透ユニット１，１Ｂに接続される接続口（不図示）が設けられる。したがって、道路９１に降った雨水は、この点検マス１５を通じて、貯留浸透ユニット１，１Ａ，１Ｂに流れ込むこととなる。
【００４３】
ここで、貯留浸透ユニット１，１Ａ，１Ｂは、端部の構造を除いて略同様の構成を備えるものであるから、以下では代表して貯留浸透ユニット１の構成について説明する。
【００４４】
この貯留浸透ユニット１は、図１に示すように、充填部材１１，・・・が連結部材１２，・・・を介して重ね合わされて骨格が形成され、下部には集砂受枠１３が挿入されて、全体が透水シート１４で覆われている。
【００４５】
この充填部材１１は、樹脂などによって板状に形成される傾斜板部１１ａを備えており、この傾斜板部１１ａの四隅の上下には後述する連結部材１２，・・・を嵌合させるための掛止部１１ｂを備えている。加えて、掛止部の側面には、突起（不図示）や孔（不図示）が設けられて充填部材１１どうしが連結できるように形成されている。
【００４６】
そして、貯留浸透ユニット１に複数敷設される充填部材１１，・・・は、傾斜板部１１ａ，・・・の傾斜方向が一定方向に揃えられていることで、雨水とともに傾斜板部１１ａ，・・・を流下する泥や砂などを、一定の方向に誘導するように形成されている。
【００４７】
また、連結部材１２は、樹脂などによって三角柱状に形成されるもので、上面及び下面には、上記した充填部材１１の四隅の下面及び上面に嵌合できるように、掛止片（不図示）を備えている。加えて、連結部材１２の側面には、突起（不図示）や孔（不図示）が設けられて連結部材１２どうしが連結できるように形成されている。
【００４８】
さらに、集砂受枠１３は、樹脂などによって略コ字状断面を有する長尺状に形成されるもので、コ字の開いた側を上に向けた状態で、上記した充填部材１１の最下部の中央に挿入されている。したがって、コ字の開いた側から雨水が流入して、雨水とともに流入する泥や砂などを受けることができるように形成されている。
【００４９】
また、透水シート１４は、ポリエステル系の不織布などによって形成されるため透水性を備えており、貯留浸透ユニット１の全体を覆うことで、貯留された雨水を地盤へ浸透させるように形成されている。
【００５０】
そして、本実施の形態の貯留浸透システムＳは、図２に示すように、貯留浸透ユニット１，１Ａの接続箇所と，貯留浸透ユニット１Ａ，１Ｂの接続箇所と、に貯留浸透ユニットの接続構造Ｃ，Ｃを備えている。
【００５１】
この貯留浸透ユニットの接続構造Ｃは、図１に示すように、自在管３と直管２とが接続されて構成されている。
【００５２】
自在管３は、樹脂などによって形成されるもので、図３に示すように、円筒部３１と、取付板部３２と、嵌合部３３と、を備えている。
【００５３】
円筒部３１は、後述する取付板部３２と一体に形成されるもので、円形状断面を有しており、水などを効率よく通すことができる。
【００５４】
取付板部３２は、上記した円筒部３１と一体に板状に形成されるもので、四隅の近傍にはビス１６（図１参照）によって固定するための取付孔（不図示）が設けられている。
【００５５】
嵌合部３３は、外側を覆う球面状殻部３３１と、この球面状殻部３３１の内面に嵌め合わされて、上下左右に自在に摺動する内筒部３３２と、を備えている。
【００５６】
さらに、この内筒部３３２の内面にはリングゴム３３３が取り付けられているため、他方の貯留浸透ユニット１Ａに取り付けられた直管２の円筒部２１の端部を嵌合した際には、隙間無く嵌合することができる。
【００５７】
そして、この自在管３の取付板部３２は、四隅がビス１６，・・・によって一方の貯留浸透ユニット１の充填部材１１や連結部材１２の端面に固定されている。
【００５８】
また、フレキシブル管としての直管２は、図１に示すように、ポリエチレン樹脂などによって可撓性を有するように形成されるもので、円筒部２１と、取付板部２２と、を備えている。
【００５９】
円筒部２１は、後述する取付板部２２と一体に形成されるもので、円形状断面を有しており、水などを効率よく通すことができる。
【００６０】
取付板部２２は、上記した円筒部２１と一体に板状に形成されるもので、四隅の近傍にはビス１６（図１参照）によって固定するための取付孔（不図示）が設けられている。
【００６１】
さらに、この直管２の取付板部２２は、四隅がビス１６，・・・によって他方の貯留浸透ユニット１Ａの充填部材１１や連結部材１２の端面に固定されている。
【００６２】
なお、取付板部３２，２２をそれぞれ貯留浸透ユニット１，１Ａに固定する方法としては、必要な取付強度を有する固定方法であれば、上記したビス１６を用いる方法でなくても、接着剤によって固定するものであってもよいし、掛止部などを設けて掛け合わすように固定するものであってもよい。
【００６３】
そして、この一方の貯留浸透ユニット１に取り付けられた自在管３の嵌合部３３の内筒部３３２に設けられた嵌合孔３３５に、他方の貯留浸透ユニット１Ａに取り付けられた直管２の円筒部２１の端部が嵌め込まれて固定されることで、それぞれの集砂受枠１３，１３Ａが接続されている。
【００６４】
次に、本実施の形態の貯留浸透ユニットの接続構造Ｃの作用について説明する。
【００６５】
このように、本実施の形態の貯留浸透ユニットの接続構造Ｃは、一方の貯留浸透ユニット１の敷設方向Ｄａと他方の貯留浸透ユニット１Ａの敷設方向Ｄｂとが、９０度より緩やかな角度である接続角度θをなして交わるように接続されている。
【００６６】
したがって、道路９１が緩やかにカーブしている場所などにも、貯留浸透システムＳを設置することができる。
【００６７】
すなわち、従来、貯留浸透ユニットどうしの接続の向きとしては、直角の場合のみが想定されていたため、本実施の形態のように道路９１が緩やかに曲がっている場合には貯留浸透ユニットを設置することはできなかった。
【００６８】
これに対して、本実施の形態では、貯留浸透ユニット１，１Ａが隣接する貯留浸透ユニット１Ａ，１Ｂと９０度より緩やかな接続角度θをもって接続されているため、道路９１が曲率をもってカーブしている場所においても貯留浸透システムＳを設置することができる。
【００６９】
そして、雨が降った場合には、図２に示すように、道路９１の表面の雨水は路面の横断方向の勾配によって側道９２に誘導され、側道９２の縦断方向の勾配によって点検マス１５の流入口（不図示）に流れ込む。
【００７０】
続いて、図１に示すように、この点検マス１５に流れ込んだ雨水は接続口（不図示）を通じて、貯留浸透ユニット１に流入して、充填部材１１，・・・の傾斜板部１１ａ，・・・を順に伝わっていくように流れる。
【００７１】
次に、最下部の傾斜板部１１ａ，・・・に達した雨水は、この最下部の充填部材１１，・・・の下方に挿入された集砂受枠１３に流れ込む。
【００７２】
そして、この集砂受枠１３に流れ込んだ雨水は、貯留浸透ユニット１の下流側の端部まで達すると、集砂受枠１３に連結された自在管３の取付板部３２に流下方向が遮られて、この取付板部３２に挿入されている円筒部３１に流入することとなる。
【００７３】
最後に、自在管３に流入した雨水は、嵌合部３３に嵌合された直管２の円筒部２１に流入して、さらにこの円筒部２１が連結された隣接する貯留浸透ユニット１Ａの集砂受枠１３Ａに流入することとなる。
【００７４】
そして、一方の貯留浸透ユニット１の底面や側面、及び、他方の貯留浸透ユニット１Ａの底面や側面、などを通じて、透水シート１４から地盤へ雨水が浸透していく。
【００７５】
さらに、豪雨の際には、貯留浸透システムＳに一時的に雨水を貯留することによって、下水施設の負荷を平準化することができる。
【００７６】
以上のように、一方の貯留浸透ユニット１と他方の貯留浸透ユニット１Ａとが接続され、さらにもう一方の貯留浸透ユニット１Ｂも同様に接続されることで、全体として貯留浸透システムＳを構成している。
【００７７】
このように、道路９１が緩やかに曲がっている場所にも、複数の貯留浸透ユニット１，１Ａ，１Ｂを接続して貯留浸透システムＳを構築できれば、従来設置できなかった箇所にまで設置できるため、より効率よく下水施設への負荷を低減したり地下水を涵養したりすることができるようになる。
【００７８】
また、貯留浸透ユニット１Ａの集砂受枠１３Ａには直管２が連結されているとともに、貯留浸透ユニット１の集砂受枠１３には、内筒部３１が球面状殻部３３１に上下左右に摺動可能に構成された自在管３が連結されている。そして、この直管２の円筒部２１が自在管３の内筒部３１に設けられた嵌合孔３３５に嵌合固定されて、上下左右に回動自在に接続されることで、集砂受枠１３，１３Ａどうしを接続している。
【００７９】
このように、集砂受枠１３，１３Ａどうしを回動自在に接続することで、道路９１が緩やかにカーブしている場所においても、貯留浸透ユニット１，１Ａどうしを接続して雨水や砂などを流通させることができる。
【００８０】
また、本実施の形態の貯留浸透ユニットの接続構造Ｃは、直管２と自在管３とが上下左右に回動自在に接続されているため、道路９１の縦断方向に勾配がある場合でも、貯留浸透ユニット１，１Ａを接続することができる。
【００８１】
さらに、従来のように直角に曲がる際の接続構造と組み合わせて用いることで、９０度以上の角度に貯留浸透ユニット１，１Ａを接続することもできる。例えば、本実施の形態の充填部材１１を用いる場合には、末端の充填部材１１の傾斜板部１１ａの方向を敷設方向に直交するように設置し、さらにこの充填部材１１に貯留浸透ユニットの接続構造Ｃを連結することができる。
【００８２】
そして、集砂受枠１３，１３Ａの泥や砂などを除去する際には、点検マス１５からバキュームホースを挿入し、一方の貯留浸透ユニット１の集砂受枠１３、自在管３、直管２をこの順に通し、他方の貯留浸透ユニット１Ａの集砂受枠１３Ａまで通すことができる。同様に、もう一方の貯留浸透ユニット１Ｂまでバキュームホースを通すことで、貯留浸透システムＳ全体に溜まった泥や砂などを除去することができる。
【００８３】
また、本実施の形態の直管２や自在管３は、既製の充填部材１１に後からビス１６や接着剤などによって取り付けるものであるため、従来とまったく同一の充填部材を用いることができる。
【００８４】
さらに、本実施の形態の直管２は可撓性を有しているため、地震の際にはこの直管２が変形することで自在管３との相対的な変位を吸収できるため、直管２と自在管３とが外れにくい構造となっている。
【実施例１】
【００８５】
以下、図４を用いて、前記実施の形態とは別の形態の貯留浸透ユニットの接続構造Ｃ１について説明する。
【００８６】
なお、前記実施の形態で説明した内容と同一乃至均等な部分の説明については同一符号を付して説明する。
【００８７】
本実施例では、前記実施の形態とは異なり、一方の貯留浸透ユニット１と他方の貯留浸透ユニット１Ａの両方に自在管３，３Ａが連結され、この一方の自在管３と他方の自在管３Ａとがフレキシブル管４によって接続されている場合について説明する。
【００８８】
まず、構成から説明すると、本実施例の貯留浸透ユニットの接続構造Ｃ１は、図４に示すように、一方の貯留浸透ユニット１の集砂受枠１３に連結された自在管３と、他方の貯留浸透ユニット１Ａの集砂受枠１３Ａに連結された自在管３Ａと、この一方の自在管３と他方の自在管３Ａとに両端を接続されたフレキシブル管４と、を備えている。
【００８９】
この一方の自在管３は、樹脂などによって形成されるもので、図３，４に示すように、円筒部３１と、取付板部３２と、嵌合部３３と、を備えている。
【００９０】
さらに、他方の自在管３Ａも上記した一方の自在管３と同様の構成を備えるもので、図４に示すように、円筒部３１Ａと、取付板部３２Ａと、嵌合部３３Ａと、を備えている。
【００９１】
また、直管としてのフレキシブル管４は、図４に示すように、ポリエチレン樹脂などによって可撓性を有する円筒状に形成されている。
【００９２】
そして、この円筒状のフレキシブル管４の一端は一方の自在管３の嵌合部３３に嵌め合わされるとともに、フレキシブル管４の他端は他方の自在管３Ａの嵌合部３３Ａに嵌め合わされて固定されている。
【００９３】
次に、作用について説明すると、本実施例の貯留浸透ユニットの接続構造Ｃ１は、フレキシブル管４の両端が自在管３，３Ａに接続されているため、道路９１が緩やかに曲がっている場所においても、貯留浸透システムＳを設置することができる。
【００９４】
また、本実施例の貯留浸透ユニットの接続構造Ｃは、フレキシブル管４の両端が自在管３，３Ａに接続されていることで、より広い範囲の曲率に対応することができる。
【００９５】
つまり、一方の貯留浸透ユニット１に自在管３を連結する場合には、１箇所のみが回動するが、他方の貯留浸透ユニット１Ａにも自在管３Ａを連結する場合には、２箇所が回動するため、回動する範囲が２倍になる。
【００９６】
さらに、フレキシブル管４を介在させることで、それぞれの貯留浸透ユニット１，１Ａの敷設方向Ｄａ，Ｄｂがずれた場合でも接続できるようになる（図２参照）。
【００９７】
すなわち、前記実施の形態の貯留浸透ユニットの接続構造Ｃでは、道路９１がＳ字状に曲がっている場合などには、貯留浸透ユニット１，１Ａの敷設方向のＤａ，Ｄｂの中心線が大きくずれることがある。そうすると、貯留浸透ユニット１，１Ａの下部の中央に挿入された集砂受枠１３，１３Ａに連結される自在管３や直管２の中心線もずれてしまって、これらを接続できなくなる可能性がある。
【００９８】
これに対して、本実施例のように自在管３，３Ａの間にフレキシブル管４を介在させれば、中心線がずれた場合でも、この自在管３，フレキシブル管４，自在管３Ａをこの順にＳ字状に接続することで対応できることとなる。
【００９９】
そして、フレキシブル管４は、施工現場においても容易に長さを調整することができるため、貯留浸透ユニット１，１Ａに設置誤差が生じた場合でも、長さを調整してやることで設置誤差を吸収することができる。
【０１００】
加えて、可撓性を有するフレキシブル管４をさらに長くすれば、フレキシブル管４の変形量もきわめて大きくなるため、あらかじめ設置しておいた貯留浸透ユニット１，１Ａを後から接続することも可能となる。
【０１０１】
すなわち、既設の貯留浸透ユニット１，１Ａの端面に自在管３，３Ａを取り付け、この自在管３，３Ａの間に、いったん曲げておいたフレキシブル管４をまっすぐに伸ばすようにして嵌め込むことで、既設の貯留浸透ユニット１，１Ａどうしを連結することもできる。
【０１０２】
なお、この他の構成および作用効果については、前記実施の形態と略同様であるため説明を省略する。
【実施例２】
【０１０３】
以下、図５，６を用いて、前記実施の形態及び実施例とは別の形態の貯留浸透ユニットの接続構造Ｃ２について説明する。
【０１０４】
なお、前記実施の形態で説明した内容と同一乃至均等な部分の説明については同一符号を付して説明する。
【０１０５】
本実施例では、前記実施の形態及び実施例とは異なり、貯留浸透ユニット１，１Ａの集砂受枠１３，１３Ａを継手部材５を介して接続する貯留浸透ユニットの接続構造Ｃ２について説明する。
【０１０６】
まず、構成から説明すると、この貯留浸透ユニットの接続構造Ｃ２は、図５に示すように、一方の貯留浸透ユニット１から突出した集砂受枠１３と、他方の貯留浸透ユニット１Ａから突出した集砂受枠１３Ａと、これらを接続する継手部材５と、を備えている。
【０１０７】
この集砂受枠１３，１３Ａは、それぞれの貯留浸透ユニット１，１Ａから突出して形成されるもので、突出された部分には略コ字状断面を有する本体部１３３，１３３Ａの上方を塞ぐ蓋部１３２，１３２Ａを備えている。
【０１０８】
また継手部材５は、図６に示すように、樹脂などによって曲がった筒状に形成されるもので、側面部５２と底面部５３と天井部５４とを一体に備えるとともに、この側面部５２と底面部５３に平行な嵌合爪５１，５１Ａを備えている。
【０１０９】
この嵌合爪５１，５１Ａは、筒状の継手部材５の両端縁に沿って設けられるもので、継手部材５の全体が曲がっていることに伴い、互いに緩やかな角度をもって対峙するように形成されている。
【０１１０】
そして、集砂受枠１３，１３Ａのそれぞれの端部１３１，１３１Ａは、それぞれが継手部材５の嵌合爪５１，５１Ａと、側面部５２や底面部５３と、の間に嵌め合わされて固定されている。
【０１１１】
続いて、作用について説明すると、このように貯留浸透ユニットの接続構造Ｃ２は、一方の集砂受枠１３と、他方の集砂受枠１３Ａと、これらを接続する継手部材５と、を備えている。
【０１１２】
したがって、もともと使用する集砂受枠１３，１３Ａを延長することで、きわめて簡易な構成によって集砂受枠１３，１３Ａどうしを直接的に接続して雨水や砂などを誘導することができる。
【０１１３】
そして、このように集砂受枠１３，１３Ａを延長すれば、前記実施の形態などのように直管２や自在管３を接続しなくてよいため、施工の手間を大幅に削減することができる。
【０１１４】
また、集砂受枠１３，１３Ａと継手部材５とは、滑らかに接続することができるため、雨水が流れる際の抵抗が少なく、泥や砂などが溜まってしまうこともない。
【０１１５】
さらに、このような継手部材５として、あらかじめ全体の曲がり具合の異なる数種類のものを用意しておけば、複数種類の道路９１の曲がりにも対応することができる。
【０１１６】
なお、この他の構成および作用効果については、前記実施の形態又は実施例と略同様であるため説明を省略する。
【実施例３】
【０１１７】
以下、図７を用いて、前記実施の形態及び実施例とは別の形態の貯留浸透ユニットの接続構造Ｃ３について説明する。
【０１１８】
なお、前記実施の形態で説明した内容と同一乃至均等な部分の説明については同一符号を付して説明する。
【０１１９】
本実施例では、前記実施の形態及び実施例とは異なり、貯留浸透ユニット１，１Ａの集砂受枠１３，１３Ａに連結された直管としての半割れ管６，６Ａどうしを継手部材５Ａを介して接続する場合の貯留浸透ユニットの接続構造Ｃ３について図７を用いて説明する。
【０１２０】
まず、構成から説明すると、この貯留浸透ユニットの接続構造Ｃ３は、一方の貯留浸透ユニット１の集砂受枠１３に連結された半割れ管６と、他方の貯留浸透ユニット１Ａの集砂受枠１３Ａに連結された半割れ管６Ａと、これらを接続する継手部材５Ａと、を備えている。
【０１２１】
この半割れ管６，６Ａは、略Ｕ字状断面を有する本体部６３，６３Ａの上方を塞ぐように蓋部６１，６１Ａを備えている。
【０１２２】
また継手部材５Ａは、樹脂などによって曲がった筒状に形成されるもので、断面形状が異なる他は、前記した実施例２の継手部材５と略同一の構成を備えている。
【０１２３】
そして、半割れ管６，６Ａのそれぞれの端部６４，６４Ａは、継手部材５Ａの嵌合爪（不図示）と、側面部（不図示）や底面部（不図示）と、の間に嵌め合わされて固定されている。
【０１２４】
続いて、作用について説明すると、このように貯留浸透ユニットの接続構造Ｃ３は、一方の半割れ管６と、他方の半割れ管６Ａと、これらを接続する継手部材５Ａと、を備えている。
【０１２５】
したがって、既製の半割れ管などを加工して用いることで、簡易な構成によって集砂受枠１３，１３Ａどうしを直接的に接続して雨水や砂などを誘導することができる。
【０１２６】
また、半割れ管６，６Ａと継手部材５Ａとは、滑らかに接続することができるため、雨水が流れる際の抵抗が少なく、泥や砂などが溜まってしまうこともない。
【０１２７】
さらに、このような継手部材５Ａとして、あらかじめ全体の曲がり具合の異なる数種類のものを用意しておけば、複数種類の道路９１の曲がりにも対応することができる。
【０１２８】
なお、この他の構成および作用効果については、前記実施の形態又は実施例と略同様であるため説明を省略する。
【実施例４】
【０１２９】
以下、図８を用いて、前記実施の形態及び実施例とは別の形態の貯留浸透ユニットの接続構造Ｃ４について説明する。
【０１３０】
なお、前記実施の形態で説明した内容と同一乃至均等な部分の説明については同一符号を付して説明する。
【０１３１】
本実施例では、前記実施の形態及び実施例とは異なり、一方の貯留浸透ユニット１と他方の貯留浸透ユニット１Ａとの間隙に、充填材として砕石７１，・・・が充填される貯留浸透ユニットの接続構造Ｃ４について説明する。
【０１３２】
まず、構成から説明すると、この貯留浸透ユニットの接続構造Ｃ４は、図８に示すように、一方の貯留浸透ユニット１と、他方の貯留浸透ユニット１Ａと、これらの間隙に設置される充填材としての砕石７１，・・・と、を備えている。なお、図８においては、説明の便宜のために、透水シートを省略して示している。
【０１３３】
この砕石７１は、岩石などを小さく砕くことで形成されるもので、種々の径のものが生産されており、建築資材として一般に流通している。
【０１３４】
続いて、作用について説明すると、本実施例の貯留浸透ユニットの接続構造Ｃ４は、一方の貯留浸透ユニット１と他方の貯留浸透ユニット１Ａとの間に砕石７１，・・・が充填されているため、接続方向に雨水や泥や砂などを伝達することができるうえに、上載荷重を支持することもできる。
【０１３５】
つまり、この砕石７１，・・・は、粒状体どうしの隙間として、空隙を備えているため、この空隙を通じて雨水や泥や砂などを、一方の貯留浸透ユニット１から他方の貯留浸透ユニット１Ａに移動させることができる。
【０１３６】
さらに、砕石７１，・・・は、自重によって押し付け合って接しているため、上載荷重が作用した場合にも、この上載荷重を下方の地盤に伝達することで支持できる。
【０１３７】
加えて、それぞれの砕石７１は粒状体であるから、その形態を自由に変えることができる。したがって、貯留浸透ユニット１，１Ａどうしの接続角度も自由に設定することができる。
【０１３８】
そして、貯留浸透ユニット１，１Ａにおいて雨水を貯留する充填部材１１どうしを接続しているため、この砕石７１が設置された間隙がデッドスペースとならずに、全体の容量に算入することができる。
【０１３９】
このように、接続部分も全体の容量に算入できれば、貯留浸透システムＳの全体容量が大きくなって、効率よく下水施設の負荷平準化や地下水の涵養をすることができる。
【０１４０】
また、砕石７１，・・・は空隙を有して充填されており、透水性を備えているため、側方及び下方から地盤へ雨水を浸透させることができる。
【０１４１】
なお、この他の構成および作用効果については、前記実施の形態又は実施例と略同様であるため説明を省略する。
【実施例５】
【０１４２】
以下、図９，１０を用いて、前記実施の形態及び実施例とは別の形態の貯留浸透ユニットの接続構造Ｃ５について説明する。
【０１４３】
なお、前記実施の形態で説明した内容と同一乃至均等な部分の説明については同一符号を付して説明する。
【０１４４】
本実施例では、前記実施の形態及び実施例とは異なり、一方の貯留浸透ユニット１と他方の貯留浸透ユニット１Ａとの間隙に、充填材として接続用充填部材７２，・・・が設置される貯留浸透ユニットの接続構造Ｃ５について説明する。
【０１４５】
まず、構成から説明すると、この貯留浸透ユニットの接続構造Ｃ５は、図９に示すように、一方の貯留浸透ユニット１と、他方の貯留浸透ユニット１Ａと、これらの間隙に設置される充填材としての接続用充填部材７２，・・・と、を備えている。なお、図９においては、説明の便宜のために、透水シートを省略して示している。
【０１４６】
この接続用充填部材７２は、発砲スチロールなどの樹脂によって平面視略扇形に形成されるとともに、充填部材１１の高さと略同一の高さに形成されている。
【０１４７】
また、接続用充填部材７２には、図１０（ａ）に示すように、複数の小孔状の貫通孔７２１，・・・が設けられている。
【０１４８】
なお、この貫通孔の形状としては、図１０（ａ）に示した小孔状の貫通孔７２１の他に、図１０（ｂ）に示した中空状の貫通孔７２２でもよいし、図１０（ｃ）に示したスリット状の貫通孔７２３でもよい。
【０１４９】
そして、この接続用充填部材７２が積層されることによって、一方の貯留浸透ユニット１と他方の貯留浸透ユニット１Ａとの間隙を充填して、これらを接続している。
【０１５０】
続いて、作用について説明すると、本実施例の貯留浸透ユニットの接続構造Ｃ５は、一方の貯留浸透ユニット１と他方の貯留浸透ユニット１Ａとの間に接続用充填部材７２，・・・が充填されているため、雨水や泥や砂などを伝達することができるうえに、上載荷重を支持することもできる。
【０１５１】
つまり、この接続用充填部材７２，・・・は、貫通孔７２１（７２２，７２３）を備えているため、この貫通孔７２１（７２２，７２３）を通じて雨水や泥や砂などを、一方の貯留浸透ユニット１から他方の貯留浸透ユニット１Ａに移動させることができる。
【０１５２】
さらに、接続用充填部材７２，・・・は、積層されて間隙に充填されるから、上載荷重が作用した場合にも、この上載荷重を下方の地盤に伝達することで支持できる。
【０１５３】
加えて、この接続用充填部材７２，・・・として、あらかじめ接続面の角度の異なる数種類のものを用意しておけば、複数種類の道路９１の曲がりにも対応することができる。
【０１５４】
そして、貯留浸透ユニット１，１Ａにおいて雨水を貯留する充填部材１１どうしを接続しているため、この接続用充填部材７２が設置された間隙がデッドスペースとならずに、全体の容量に算入することができる。
【０１５５】
このように、接続部分も全体の容量に算入できれば、貯留浸透システムＳの全体容量が大きくなって、効率よく下水施設の負荷平準化や地下水の涵養をすることができる。
【０１５６】
さらに、この接続用充填部材７２は発砲スチロール製であるから、きわめて軽量となり、手で扱うことができるため、施工性が良好となり工期を短縮できる。このように、工期を短縮できることは、道路９１の脇の側道９２の直下に設置されることが多い貯留浸透システムＳにおいては、工事渋滞の緩和などを考慮すると特に効果が大きいといえる。
【０１５７】
なお、この他の構成および作用効果については、前記実施の形態又は実施例と略同様であるため説明を省略する。
【実施例６】
【０１５８】
以下、図１１，１２を用いて、前記実施の形態及び実施例とは別の形態の貯留浸透ユニットの接続構造Ｃ６について説明する。
【０１５９】
なお、前記実施の形態で説明した内容と同一乃至均等な部分の説明については同一符号を付して説明する。
【０１６０】
本実施例では、前記実施の形態及び実施例とは異なり、一方の貯留浸透ユニット１と他方の貯留浸透ユニット１Ａとの間隙を、上面板８１と側面板８２，８２とによって囲む貯留浸透ユニットの接続構造Ｃ６について説明する。
【０１６１】
まず、構成から説明すると、この貯留浸透ユニットの接続構造Ｃ６は、図１１に示すように、一方の貯留浸透ユニット１と、他方の貯留浸透ユニット１Ａと、これらの間隙を囲むように設置される上面部材としての上面板８１と側面部材としての側面板８２，８２と、を備えている。なお、図１１においては、説明の便宜のために、透水シートを省略して示している。
【０１６２】
この上面板８１は、樹脂などによって、台形状の板として形成されるもので、片面には補強のためのリブ（不図示）が設けられている。さらに、この台形状の上面板８１の平行でない２辺は、貯留浸透ユニット１，１Ａの端縁に載置されて接着剤などによって固定されている。
【０１６３】
また、側面板８２は、樹脂などによって、四角形状の板として形成されるもので、片面には補強のためのリブ（不図示）が設けられている。さらに、この四角形状の側面板８２の２辺は、貯留浸透ユニット１，１Ａの端縁に側方から重ねられて接着剤などによって固定されている。
【０１６４】
ここにおいて、この側面板８２は、可撓性を有することで貯留浸透ユニット１，１Ａの緩やかな曲がりに追従するものであってもよいし、ヒンジなどを備えて折れ曲がり可能に形成されるものであってもよい。
【０１６５】
さらに、この間隙の下方には砕石（不図示）が敷設され、この接続部分の下方から地盤へ雨水を浸透させることができるように形成されている。
【０１６６】
また、側面板８２は、上記のように貯留浸透ユニット１，１Ａとは別の構造として設けるものでなくてもよい。
【０１６７】
例えば、図１２（ａ）に示したように、側面部材として、充填部材１１の側面を塞ぐための側板８３が延長され、この側板８３の延長部８３１が互いに重ね合わされることで間隙を閉塞するものであってもよい。なお、この場合、側板８３を充填部材１１に取付けるための突起（不図示）を延長するなどして、土圧に耐えうる構造とすることが望ましい。
【０１６８】
さらに、図１２（ｂ）に示したように、側面部材として、充填部材１１自体や連結部材１２自体の側面８４が交互に延長され、この側面８４の延長部８４１が交互に重ね合わされることで間隙を閉塞するものであってもよい。
【０１６９】
続いて、作用について説明すると、本実施例の貯留浸透ユニットの接続構造Ｃ６は、一方の貯留浸透ユニット１と他方の貯留浸透ユニット１Ａとの間隙を閉塞する上面板８１と側面板８２，８２とを備えているため、接続方向に雨水や泥や砂などを伝達することができるうえに、上載荷重を支持することもできる。
【０１７０】
つまり、この上面板８１は、積層される充填部材１１の最上部に載置されているため、この上面板８１と側面板８２とによって囲まれる広い間隙を通じて雨水や泥や砂などを、一方の貯留浸透ユニット１から他方の貯留浸透ユニット１Ａに移動させることができる。
【０１７１】
さらに、上面板８１は、下面にリブが設けられているから、上載荷重が作用した場合にも、この上載荷重を両側の充填部材１１に伝達し、積層された充填部材１１，・・・を通じて下方の地盤に伝達することができる。
【０１７２】
また、側面板８２は、間隙の側方を閉塞することで、土留めの機能を有するとともに、上面板８１と共同して間隙を囲むことができる。
【０１７３】
さらに、側面部材として、側板８３が延長されて互いに重ね合わされることで間隙を閉塞すれば、特別に固定手段を設けることなく、簡易な構造によって、周囲を土留めし、全体の貯留容量を大きくすることができる。
【０１７４】
つまり、側板８３は固定用の突起（不図示）によって充填部材１１に取付けられているため、新たに固定手段を設ける必要はない。
【０１７５】
同様に、側面部材として、充填部材１１自体や連結部材１２自体の側面８４が交互に延長されて重ね合わされることで間隙を閉塞すれば、特別に固定手段を設ける必要がなくなるうえに、隣接する貯留浸透ユニットの接続角度を自由に設定できる。
【０１７６】
すなわち、側面８４は充填部材１１の一部であるから、新たに固定手段を設ける必要はない。加えて、延長部８４１が所定の長さだけ交互にクロスして重ね合わされて間隙の側方を閉塞するものであるから、この重ね合わされる長さを調整することで、どのような接続角度にも対応できる。
【０１７７】
そして、貯留浸透ユニット１，１Ａにおいて、雨水を貯留する充填部材１１どうしを接続する間隙を形成するため、この間隙がデッドスペースとならずに、全体の容量に算入することができる。
【０１７８】
このように、接続部分も全体の容量に算入できれば、貯留浸透システムＳの全体容量が大きくなって、効率よく下水施設の負荷平準化や地下水の涵養をすることができる。
【０１７９】
さらに、この上面板８１や側面板８２は軽量な樹脂製であるから、手で扱うことができるため、施工性が良好となり工期を短縮できる。
【０１８０】
なお、この他の構成および作用効果については、前記実施の形態又は実施例と略同様であるため説明を省略する。
【０１８１】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【０１８２】
例えば、前記実施の形態及び実施例１〜６では、貯留浸透システムＳが道路９１の脇の側道９２の下に構築される場合について説明したが、これに限定されるものではなく、貯留浸透ユニットどうしを緩やかな角度に接続する場合であれば、どのような場合にも適用することができる。
【０１８３】
また、前記実施の形態及び実施例１〜３では、貯留浸透ユニット１，１Ａ，１Ｂが充填部材１１を積層することによって形成される場合について説明したが、これに限定されるものではなく、泥や砂などを受ける部材としての集砂受枠１３，１３Ａに相当する部材を備えるものであれば、どのような貯留浸透ユニットにも適用することができる。
【０１８４】
さらに、前記実施の形態及び実施例１では、直管２の材質として可撓性を有するポリエチレン樹脂を用いる場合について説明したが、これに限定されるものではなく、塩化ビニルのようにほとんど可撓性のないものを用いることもできる。
【０１８５】
そして、前記実施例３では、直管として半割れ管６，６Ａを用いる場合について説明したが、これに限定されるものではなく、どのような断面形状を有する管材であっても用いることができる。
【０１８６】
また、前記実施例４，５では、貯留浸透ユニット１，１Ａが充填部材１１を積層することによって形成される場合について説明したが、これに限定されるものではなく、どのような貯留浸透ユニットにも適用することができる。
【図面の簡単な説明】
【０１８７】
【図１】本発明の最良の実施の形態の貯留浸透ユニットの接続構造の構成を説明する斜視図である。
【図２】本発明の最良の実施の形態の貯留浸透ユニットの接続構造を備える貯留浸透システム全体の構成を説明する平面図である。
【図３】自在管の構造を説明する説明図である。（ａ）は正面図であり、（ｂ）は断面図である。
【図４】本発明の実施例１の貯留浸透ユニットの接続構造の構成を説明する斜視図である。
【図５】本発明の実施例２の貯留浸透ユニットの接続構造の構成を説明する斜視図である。
【図６】継手部材の構造を説明する断面図である。（ａ）は継手部材を水平方向に切断して上から見た断面図であり、（ｂ）は継手部材を鉛直方向に切断して正面から見た断面図である。
【図７】本発明の実施例３の貯留浸透ユニットの接続構造の構成を説明する斜視図である。
【図８】本発明の実施例４の貯留浸透ユニットの接続構造の構成を説明する説明図である。（ａ）は側面図であり、（ｂ）は上面図である。
【図９】本発明の実施例５の貯留浸透ユニットの接続構造の構成を説明する説明図である。（ａ）は側面図であり、（ｂ）は上面図である。
【図１０】接続用充填部材の構造を説明する斜視図である。（ａ）は小孔状の貫通孔を備える場合、（ｂ）は中空状の貫通孔を備える場合、（ｃ）はスリット状の貫通孔を備える場合である。
【図１１】本発明の実施例６の貯留浸透ユニットの接続構造の構成を説明する斜視図である。
【図１２】側面部材の構造を説明する側面図である。（ａ）は側板を延長する場合、（ｂ）は充填部材の側面を延長する場合である。
【符号の説明】
【０１８８】
Ｓ          貯留浸透システム
Ｃ，Ｃ１〜Ｃ６  貯留浸透ユニットの接続構造
Ｄａ，Ｄｂ  敷設方向
θ          接続角度
１，１Ａ，１Ｂ  貯留浸透ユニット
１１        充填部材
１３，１３Ａ  集砂受枠
２          直管（フレキシブル管）
３，３Ａ    自在管
４          フレキシブル管（直管）
５，５Ａ    継手部材
６          半割れ管（直管）
７１        砕石（充填材）
７２        接続用充填部材（充填材）
７２１      小孔状の貫通孔（貫通孔）
７２２      中空状の貫通孔（貫通孔）
７２３      スリット状の貫通孔（貫通孔）
８１        上面板（上面部材）
８２        側面板（側面部材）
８３        側板（側面部材）
８４        側面（側面部材）
【図１】
0004942584.tif 000002
【図２】
0004942584.tif 000003
【図３】
0004942584.tif 000004
【図４】
0004942584.tif 000005
【図５】
0004942584.tif 000006
【図６】
0004942584.tif 000007
【図７】
0004942584.tif 000008
【図８】
0004942584.tif 000009
【図９】
0004942584.tif 000010
【図１０】
0004942584.tif 000011
【図１１】
0004942584.tif 000012
【図１２】
0004942584.tif 000013